(57)【特許請求の範囲】
【請求項１】
星、星座を表示した星座盤と外周部に時刻目盛を設けたフレームとを重ねて回転自在に軸支し、星座盤の外周部に月日目盛を設けると共に、月日目盛に対応させて同一の月齢の月日位置に各暦年毎に少なくともひとつの目盛りを目盛った暦年目盛を設け、フレームの外周部に星座盤の月日目盛に対応させた月齢目盛を設けたことを特徴とする月と星の早見盤。
【請求項２】
星、星座を表示した星座盤と月齢盤と外周部に時刻目盛を設けたフレームとを重ねて回転自在に軸支し、星座盤の外周部に月日目盛を設けると共に、月日目盛に対応させて同一の月齢の月日位置に各暦年毎に少なくともひとつの目盛りを目盛った暦年目盛を設け、月齢盤の外周部に星座盤の月日目盛に対応させた月齢目盛を設けたことを特徴とする月と星の早見盤。
【請求項３】
暦年目盛は朔の日の位置に目盛りを目盛ったことを特徴とする請求項１又は請求項２記載の月と星の早見盤。
【請求項４】
暦年目盛は１９年分目盛ることを特徴とする請求項１乃至請求項３のうちいずれか一項に記載の月と星の早見盤。
【請求項５】
暦年目盛は月日目盛の連続した１．５ヶ月乃至３ヶ月の範囲に目盛ることを特徴とする請求項１乃至請求項４のうちいずれか一項に記載の月と星の早見盤。
【請求項６】
月齢目盛は１２周期分以上設け、目盛が重なる部分はスパイラル状に目盛ることを特徴とする請求項１乃至請求項５のうちいずれか一項に記載の月と星の早見盤。
【請求項７】
星座盤と月齢盤とフレームとを重ねて回転自在に軸支し、月齢盤には環状に月齢０から月齢２９までの月齢表示を表示したことを特徴とする請求項２乃至請求項６のうちいずれか一項に記載の月と星の早見盤。
【請求項８】
月齢盤の外周部にはカーソルを設けると共に、該カーソルをフレームの時刻目盛の午前０時（夜の１２時）に合わせた際にフレームの真南に重なる位置に月齢表示の新月を設けることを特徴とする請求項７記載の月と星の早見盤。
【請求項９】
月窓盤をフレームに回転自在に軸支し、月窓盤には月齢盤の月齢表示に対応する位置に月窓を設けたことを特徴とする請求項７又は８記載の月と星の早見盤。
【請求項１０】
月窓盤の外周部に月齢０から月齢２９までの月齢数表示を目盛り、月齢数表示の目盛を月齢盤のカーソルに合わせた際に、月窓は月齢盤の月齢表示のうち当該月齢数表示の目盛が示す月齢の月に対応して位置することを特徴とする請求項９記載の月と星の早見盤。
【請求項１１】
フレームの時刻目盛を午前０時を南天の真上に目盛って設け、月齢盤の外周部にはカーソルを設けると共に、該カーソルから月齢盤の中心点を中心に１８０°隔たった位置に月齢表示の新月を設け、月窓盤の月窓は月齢数表示の０の目盛から月窓盤の中心点を中心に１８０°隔たった位置に設けることを特徴とする請求項１０記載の月と星の早見盤。
【請求項１２】
星座盤には黄道を表示したことを特徴とする請求項１乃至請求項１１記載の月と星の早見盤。
【請求項１３】
星座盤を一面に南天を表示すると共に他面に北天を表示して構成して、二重に構成したフレーム間に設置したことを特徴とする請求項１乃至請求項１２のうちいずれか一項に記載の月と星の早見盤。
【請求項１４】
南天側のフレームに月齢盤と月窓盤を設けたことを特徴とする請求項１３記載の月と星の早見盤。
【請求項１５】
フレームは開閉自在としたことを特徴とする請求項１３又は請求項１４記載の月と星の早見盤。
【請求項１６】
フレームの時刻目盛又は／及び月齢盤の月齢表示又は／及び月窓盤の月齢数表示が重なる星座盤の中環部に蓄光物質を塗布したことを特徴とする請求項１乃至請求項１５のうちいずれか一項に記載の月と星の早見盤。
【請求項１７】
着脱自在のシールを備えることを特徴とする請求項１乃至請求項１６のうちいずれか一項に記載の月と星の早見盤。
【請求項１８】
星座盤の星又は／及び星座の表示又は／及び月日目盛に蓄光物質を用いることを特徴とする請求項１乃至請求項１７のうちいずれか一項に記載の月と星の早見盤。
【発明の詳細な説明】
【技術分野】
【０００１】
本発明は月と星の早見盤に関し、詳しくは、天体観測に用いる早見盤において、任意の年月日及び時刻における星や星座の運行と共に、月の形及び運行を表示し、月の運行と星の運行をリンクさせて、任意の年月日及び時刻において、どのような形の月がどの星座の何処にあるかを知ることが可能な月と星の早見盤に関する。
【背景技術】
【０００２】
従来から星や星座を観測するための道具として星座早見盤が使用されている。星座早見盤は与えられた年月日及び時刻における天空上の星及び星座等の天体の位置を表示するものであり、星や星座を表示した星座盤に天空の形をした孔を有するフレームを重ねて、該二枚の盤で地球の自転と公転を表現して上記機能を実現している。しかし、このような従来の星座早見盤では月の表示はなく、月の形及び運行を知ることができなかった。
【０００３】
又、従来から月の形を表示するための道具として月の表示盤が用いられている。この月の表示盤は月の形（月齢）及び月と太陽との相対的位置を表示するものであり、星、星座は表示されておらず、月と天空の星、星座との関連は付けられていない。そのために星や星座の中における月の位置を知ることは出来ず、又、任意の年月日及び時刻における天空上の月の位置や形を知ることも出来ない。
【０００４】
又、星と月の観察盤として、星や星座を表示した星座盤の外周部に月齢及び月の形を表示して星座及び月表示盤とし、この星座及び月表示盤に、天空の形をした孔及び月を表示する孔を有するフレームを重ねた星と月の観察盤がある（特許文献１参照。）。
【０００５】
しかし、この星と月の観察盤は単に従来の星座早見盤及び月の表示盤の機能を併せ持つのみであって、星座早見盤として使用するときは月の表示盤として機能せず、月の表示盤として使用するときは星座早見盤として機能しないものである。従って、月の運行と星や星座の運行がリンクせず、天空上の星や星座の中における月の位置を知ることは出来ず、又、任意の年月日及び時刻における天空上の月の位置や形を知ることも出来なかった。又、月齢を知らなければ月の形がわからず、月齢を知るためには暦を引くことが必要であり不便であった。
【０００６】
【特許文献１】登録実用新案第３０７９８９０号公報
【発明の開示】
【発明が解決しようとする課題】
【０００７】
本発明は上記従来技術の欠点を解決し、任意の年月日及び時刻における天空上の星や星座の位置を表示することのみならず、月の運行と星や星座の運行をリンクさせ、天空上の星や星座の中における月の位置を知ることが出来、又、任意の年月日及び時刻における天空上の月の位置や月齢に応じた月の形を知ることが出来る月と星の早見盤を提供することを目的とする。又、暦を引くことなく任意の年月日における月齢及び月の形を知ることが出来る月と星の早見盤を提供することを目的とする。
【課題を解決するための手段】
【０００８】
上記課題を解決するための第一の手段は、星、星座を表示した星座盤と外周部に時刻目盛を設けたフレームとを重ねて回転自在に軸支し、星座盤の外周部に月日目盛を設けると共に、月日目盛に対応させて同一の月齢の月日位置に各暦年毎に少なくともひとつの目盛りを目盛った暦年目盛を設け、フレームの外周部に星座盤の月日目盛に対応させた月齢目盛を設けたことを特徴とする月と星の早見盤である。
【０００９】
又、第二の手段は、星、星座を表示した星座盤と月齢盤と外周部に時刻目盛を設けたフレームとを重ねて回転自在に軸支し、星座盤の外周部に月日目盛を設けると共に、月日目盛に対応させて同一の月齢の月日位置に各暦年毎に少なくともひとつの目盛りを目盛った暦年目盛を設け、月齢盤の外周部に星座盤の月日目盛に対応させた月齢目盛を設けたことを特徴とする月と星の早見盤である。
【００１０】
又、第三の手段は、第一又は第二の手段において、暦年目盛は朔の日の位置に目盛りを目盛ったことを特徴とする月と星の早見盤である。
【００１１】
又、第四の手段は、第一乃至第三のうちいずれかの手段において、暦年目盛は１９年分目盛ることを特徴とする月と星の早見盤である。
【００１２】
又、第五の手段は、第一乃至第四のうちいずれかの手段において、暦年目盛は月日目盛の連続した１．５ヶ月乃至３ヶ月の範囲に目盛ることを特徴とする月と星の早見盤である。
【００１３】
又、第六の手段は、第一乃至第五のうちいずれかの手段において、月齢目盛は１２周期分以上設け、目盛が重なる部分はスパイラル状に目盛ることを特徴とする月と星の早見盤である。
【００１４】
又、第七の手段は、星、星座を表示した星座盤と月齢盤と外周部に時刻目盛を設けたフレームとを重ねて回転自在に軸支し、星座盤の外周部に月日目盛を設け、月齢盤には環状に月齢０から月齢２９までの月齢表示を表示したことを特徴とする月と星の早見盤である。
【００１５】
又、第八の手段は、第二乃至第六のうちいずれかの手段において、星座盤と月齢盤とフレームとを重ねて回転自在に軸支し、月齢盤には環状に月齢０から月齢２９までの月齢表示を表示したことを特徴とする月と星の早見盤である。
【００１６】
又、第九の手段は、第七又は第八の手段において、月齢盤の外周部にはカーソルを設けると共に、該カーソルをフレームの時刻目盛の午前０時（夜の１２時）に合わせた際にフレームの真南に重なる位置に月齢表示の新月を設けることを特徴とする月と星の早見盤である。
【００１７】
又、第十の手段は、第七乃至第九のうちいずれかの手段において、月窓盤をフレームに回転自在に軸支し、月窓盤には月齢盤の月齢表示に対応する位置に月窓を設けたことを特徴とする月と星の早見盤である。
【００１８】
又、第十一の手段は、第十の手段において、月窓盤の外周部に月齢０から月齢２９までの月齢数表示を目盛り、月齢数表示の目盛を月齢盤のカーソルに合わせた際に、月窓は月齢盤の月齢表示のうち当該月齢数表示の目盛が示す月齢の月に対応して位置することを特徴とする月と星の早見盤である。
【００１９】
又、第十二の手段は、第十一の手段において、フレームの時刻目盛を午前０時を南天の真上に目盛って設け、月齢盤の外周部にはカーソルを設けると共に、該カーソルから月齢盤の中心点を中心に１８０°隔たった位置に月齢表示の新月を設け、月窓盤の月窓は月齢数表示の０の目盛から月窓盤の中心点を中心に１８０°隔たった位置に設けることを特徴とする月と星の早見盤である。
【００２０】
又、第十三の手段は、第一乃至第十二の手段において、星座盤には黄道を表示したことを特徴とする月と星の早見盤である。
【００２１】
又、第十四の手段は、第一乃至第十三のうちいずれかの手段において、星座盤を一面に南天を表示すると共に他面に北天を表示して構成して、二重に構成したフレーム間に設置したことを特徴とする月と星の早見盤である。
【００２２】
又、第十五の手段は、第十四の手段において、南天側のフレームに月齢盤と月窓盤を設けたことを特徴とする月と星の早見盤である。
【００２３】
又、第十六の手段は、第十四又は第十五の手段において、フレームは開閉自在としたことを特徴とする月と星の早見盤である。
【００２４】
又、第十七の手段は、第一乃至第十六のうちいずれかの手段において、フレームの時刻目盛又は／及び月齢盤の月齢表示又は／及び月窓盤の月齢数表示が重なる星座盤の中環部に蓄光物質を塗布したことを特徴とする月と星の早見盤である。
【００２５】
又、第十八の手段は、第一乃至第十七のうちいずれかの手段において、着脱自在のシールを備えることを特徴とする月と星の早見盤である。
【００２６】
又、第十九の手段は、第一乃至第十八のうちいずれかの手段において、星座盤の星又は／及び星座の表示又は／及び月日目盛に蓄光物質を用いることを特徴とする月と星の早見盤である。
【発明の効果】
【００２７】
以上のような請求項１又は２記載の発明によれば、任意の年月日における星、星座の運行を観察できると共に、暦を引くことなく任意の年月日における月齢及び月の形を知ることが出来た。又、請求項３記載の発明のよれば、新月を始点とするので朔望月周期がわかり易く便利である。
【００２８】
又、請求項４記載の発明によれば、限られた期間ではなく、永久に使用をすることが出来た。又、請求項５記載の発明によれば暦年目盛が読みやすいと共に探しやすく、目盛を合わせる作業が容易となった。又、請求項６記載の発明によれば月齢を知ることがより容易になった。
【００２９】
又、請求項７記載の発明によれば、任意の年月日及び時刻における天空上の星や星座の位置を表示することのみならず、月の運行と星や星座の運行をリンクさせ、天空上の星や星座の中における月の位置を知ることが出来、又、任意の年月日及び時刻における天空上の月の位置や月齢に応じた月の形を知ることが出来た。
【００３０】
又、請求項８乃至１１記載の発明によれば、より容易に天空上の星や星座の中における月の位置を知ることが出来た。又、請求項１２記載の発明によれば、天空上の星や星座の中における月の位置をより正確に知ることが可能となった。
【００３１】
又、請求項１３記載の発明によれば、全天を示す星座面を天頂にかざして見る必要がなく、星空を正面にみて容易に星、星座を探すことが可能であると共に、星座盤の星座の歪みが少なく、見た目に近い表示となり、使用しやすくなった。更に請求項１４記載の発明によれば、星座盤、月齢盤及び月窓盤の操作が容易となった。
【００３２】
又、請求項１５又は１７記載の発明によれば星座盤の星や星座を表示した星表示部の表示に手を加えるなど使用者が容易に変化させることが可能となるので、更なる天体の観測に役立つ。又、請求項１６又は１８記載の発明によれば、暗い場所での観測時に星、星座、月の形、目盛や各種表示が読みやすくなり、観測に便利である。
【発明を実施するための最良の形態】
【００３３】
以下本発明の実施の形態を図に従って説明する。本発明の月と星の早見盤１（以下単に早見盤１ということがある）はフレーム２、星座盤３、月齢盤４及び月窓盤５を備えて構成されている。フレーム２、月齢盤４及び月窓盤５は塩化ビニル、ポリプロピレン等を用い、星座盤３は紙に星等を印刷してポリプロピレン等でコーティングして成形するが、これに限定されず適宜の材料を用いることが可能である。
【００３４】
フレーム２は一枚の薄板を折畳み南天フレーム面２１と北天フレーム面２２の二重構成とし、略円形に形成するが、早見盤１を持った際に月齢盤４及び月窓盤５の不本意な回転を防止するために適宜箇所、例えば下部両端に突設した把持部２９，２９を設けることは推奨される。又、フレーム２の外周には星座盤３の回転操作を容易とするため、適宜位置、例えば両側部や下部に切欠部２７を設け、フレーム２から星座盤３の外周端が突出するように形成している。尚、フレーム２は二枚の薄板を着脱自在に組み立てたものでもよい。
【００３５】
更に、曲折部２８１の対向位置となるフレーム２の上部にスナップボタン、面テープ或いは透孔と透孔に嵌合するボタン等の結合部材２８を設けて南天フレーム面２１と北天フレーム面２２を開閉自在としている。南天フレーム面２１と北天フレーム面２２を開閉自在とすることにより、後述する星座盤３の星表示部３１１，３２１にその時々で位置が異なる惑星、彗星等を示すシールを貼ることが出来る等星表示部３１１，３２１の表示を変化させることが可能となるので、更なる天体の観測に役立つ。勿論、フレーム２を開閉自在としないで構成することとしてもよい。
【００３６】
尚、このシールは着脱自在なシールとし、予め星座盤３或いはフレーム２等に貼付しておくことが可能であり、或いは早見盤１の付属品としてシートに貼付しておくこととしてもよい。シールの種類としては惑星、彗星等を示すシールのほか、各人の好きな星を指し示すようなシール等がある。又、惑星や彗星等の年月日毎の位置等を指示する説明をフレーム２等に表記しておくことは望ましいが、シールを貼付したシートに表記することとしてもよい。
【００３７】
南天フレーム２１の外周部には時刻目盛２１２を設け、その内側に南の空を表示するための下辺が内方へ湾曲した半円形状の南天窓２１３を設けている。時刻目盛２１２のふり方は特に限定されないが、本実施形態では午前０時（夜の１２時）を真上にとっている。北天フレーム２２には北の空を表示するための下辺が外方へ湾曲した半円形状の北天窓２２３を設け、その上端縁には時刻目盛２２２を設けている。南天窓２１３、北天窓２２３はフレーム２に輪郭線２６を描き、その内部を透明としてもよいが、内部を切り抜くこととしてもよい。特に南天フレーム２１は上に月齢盤４及び月窓盤５が重なるので、透明度の確保のために南天窓２１３をくり抜くことが望ましい。又、時刻目盛２１２、２２２の部分は線の目盛及び数字以外は透明としている。時刻目盛２１２、２２２の部分は早見盤１を組み立てた際に後述する星座盤３の中環部３１５，３２５に夫々重なる位置に設けられている。
【００３８】
星座盤３は円形の薄板の一面を南天面３１、他面を北天面３２とし、南天面３１には南天を表示し、即ち星座盤３の中心点３９に天の南極が位置するように星、星座、或いはこれらに加えて黄道３１２等を星表示部３１１に表示すると共に外周部に月日目盛３１３を設け、北天面３２には北天を表示し、即ち天の赤道を輪郭として中心点３９に天の北極が位置するように星、星座、黄道等を星表示部３２１に表示すると共に外周部に月日目盛３２３を設けて構成している。月日目盛３１３，３２３は星座盤３の外周に渡って１２ヶ月、３６５日分を目盛っている。尚、星座盤３を回転させる操作を容易とするために星座盤３の外縁は波型に形成することは推奨される。
【００３９】
更に、南天面３１の月日目盛３１３の外側には暦年目盛３３を目盛る。暦年目盛３３は西暦或いは西暦の下二桁の数字を、月日目盛に対応させて同一の月齢の月日位置に各暦年毎に少なくともひとつの目盛りを目盛って構成する。特に、月日目盛３１３に対応させて各暦年毎に各暦年のひとつの朔の日（新月の日）の位置に目盛ることは推奨される。例えば２００４年のひとつの朔の日（新月の日）には１月２２．３日があるので、月日目盛３１３の１月２２．３日の位置に対応させて目盛を設けて０４と表示する。各暦年のひとつの朔の日（新月の日）としてはその他に２００５年２月９．３日、２００６年１月３０．０日、２００７年１月１９．５日、２００８年２月７．５日、２００９年１月２６．７日、２０１１月１５．７日、２０１２年１月２３．７日、２０１３年１月１２．７日、２０１４年１月３１．３日等が挙げられるので、これらも同様に月日目盛３１３対応月日の位置に対応させて目盛を設けて暦年の表示をする。
【００４０】
暦年目盛３３の目盛る年数は特に限定されず適宜年数分を目盛ればよく、例えば２００４年から２０１４年の朔の日に対応させて１１目盛を設ければよいが、１９目盛を設けることは推奨される。これは、朔の日は１９年毎の周期性があるので、１９目盛を設けて、該当年がない場合には当該年から１９を減じた或いは加えた年の目盛を使用することで永久の使用が可能となるからである。
【００４１】
又、朔の日は一年間に略１３回あり、そのうちのどの朔の日を目盛るかは任意であるが、目盛る年数にもよるが、総て同じ月に目盛ると目盛が近接し読みにくくなり、一方、離れた月に目盛ると目盛を探すことが容易ではなくなり、目盛にあわすために月齢盤４を大きく回転させなくてはならず作業が煩雑となるので、暦年目盛３３は月日目盛３１３の連続した１．５ヶ月乃至３ヶ月の範囲に目盛ることが望ましい。
【００４２】
尚、暗い場所での観測時に早見盤１を見やすくするために、星表示部３１１，３２１に表示する星、星座、或いは加えて黄道、月日目盛３１３，３２３の全部又は一部等を蓄光物質を用いて表示することが望ましい。更に、南天面３１及び北天面３２の夫々の星表示部３１１，３２１と月日目盛３１３，３２３間の中環部３１５，３２５には蓄光物質を塗布することが望ましい。このように構成することで、暗い場所での天体の観測に際して、天の輪郭が明確になると共に、早見盤１を組み立てた際に中環部３１５に南天フレーム２１の時刻目盛２１２、月齢盤４の月齢表示４５及び月窓盤５の月齢数表示５５が重なり、中環部３２５には北天フレーム２２の時刻目盛２２２が重なるので、目盛や各種表示が読みやすく、又、月齢表示４５の月の形が光って見えるので、月の形が見やすくなる。このような蓄光物質は光を蓄え、回りの明るさに合わせようとする性質から暗いところで光を放つ物質であり、例えば亜鉛等の硫化物或いはアルミン酸ストロンチウム等の酸化物に銅等の金属を結合させたものが挙げられる。
【００４３】
月齢盤４は平均太陽の位置と月の月齢の関係を表示した盤である。月齢盤４は薄板の円形状であって、外周部の一箇所に各種目盛を合わせるために用いる矢印、線、三角印等の印で構成されるカーソル４１を設ける。又、外周部に渡ってその日の月齢を知るための月齢目盛４２を設ける。月齢目盛４２は朔望月周期、即ち２９．５３日周期に反時計回りに、１２周期分（約１年分）目盛る。この際にカーソル４１の位置に暦年目盛３３を目盛るのに選択した一の月齢を示すように構成すると便利である。月齢盤４は中心点４３を中心として３６０°を有し、２９．５３日（朔望月）／３６５．２４日（一年間の日数）×３６０°（円の角度）＝２９．１０６°の式から月齢目盛４２における朔望月の範囲の両端と中心点４３を結ぶ２本の線の角度は２９．１０６°である。又、１の月齢あたりは１／３６５．２４×３６０＝０．９８６°の式から月齢目盛４２における１の月齢あたりの範囲の両端と中心点４３を結ぶ２本の線の角度は０．９８６°である。月齢目盛４２は月齢を月の形又は／及び月齢数の数字を目盛として用いている。月齢目盛４２は朔望月周期毎に月齢０から月齢２９までの目盛を設けてもよいが、新月、下弦、上弦及び満月のみを目盛る等暦年目盛３３を目盛るのに選択した一の月齢の他適宜選択をして目盛ることとしてもよい。
【００４４】
月齢目盛４２は１２周期分（約１年分）以上設けることとしてもよく、暦年目盛３３が目盛られた月日目盛３１３の連続した範囲の月数分を１２周期分（約１年分）に加えた周期分を目盛ることが望ましく、又、目盛が重なる部分は、読み取りやすいようにスパイラル状に目盛ることが望ましい。この場合連続した月齢をわかり易くするために連続した目盛を結ぶ線４２１を設けてもよい。具体例としては、暦年目盛３３が月日目盛３１３の連続した１．５ヶ月の範囲に目盛られている場合には、１３．５周期分（約１年と１．５ヶ月分）を目盛る。これは、暦年目盛３３を目盛るのに選択した一の月齢の目盛を、或いはその目盛にカーソル４１を設けた場合にはカーソル４１を暦年目盛３３の目盛と合わせた際に、そこから時計回り方向に目盛られた月日目盛３１３の先月或いは先々月の月齢をわかるようにするためである。具体的には暦年目盛３３が朔の日（新月の日）の位置に目盛られている場合には、暦年目盛３３の目盛が月日目盛３１３の１月から２月にかけて目盛られている場合に一番左側の目盛２００５年にカーソル４１を合わせた場合には２月９．３日が朔の日であり、少なくても２００５年の年の初めである１月１日からの月齢がわかるようになっている。
【００４５】
又、月齢目盛４２の内側には中心点４３を中点とする同心円状の環状部４４に月齢０から月齢２９の月の形或いは加えて月の形に対応した月齢数の数字、即ち月齢表示４５を表示する。月齢表示４５の月の形は満月の輪郭を示す円の中に欠けている部分を黒等で塗りつぶして不透明或いは半透明とし、見える部分を透明や黄色の半透明等に構成している。この際に月齢表示４５の新月（月齢０）はカーソル４１をフレーム２の時刻目盛２１２の午前０時（夜の１２時）に合わせた際にフレームの真南に重なる位置に設け、即ち時刻目盛２１２の午前０時（夜の１２時）を真上にとっている場合には、カーソル４１から中心点４３を中心に１８０°隔たった位置に表示し、新月を起点として３６０°／２９．５３（朔望月）＝１２．１９°の式から１２．１９°毎に順次反時計回りに月齢１、月齢２…月齢２９を表示して月齢表示４５を構成する。更に、新月（月齢０）の月齢表示４５の外側には平均太陽４６の表示をする。尚、時刻目盛２１２の午前０時（夜の１２時）を真上にとらないで目盛る場合には適宜月齢表示４５の新月（月齢０）、平均太陽の位置を変更する。環状部４４及び月齢表示４５は早見盤１を組み立てた際に星座盤３の中環部３１５に重なる位置に設けられている。
【００４６】
月窓盤５は任意の年月日及び時刻における月齢（月の形）を選択するための盤である。月窓盤５は薄板の円形状であって、中心点５３を中点とする同心円状の環状部５４に月齢０から月齢２９の月齢数の数字、即ち月齢数表示５５を目盛る。環状部５４には月齢盤４に表示した月齢表示４５のうち一の月齢表示４５を表示可能な透明或いはくり抜いた更には輪郭線を描いた月窓５６を設け、他の部分は着色し或いは磨りガラス様として不透明、半透明或いは透明としている。月齢盤４と月窓盤５を夫々の中心点４３，４４で軸支した際に環状部５４は月齢盤４の環状部４４に重なる位置に設けている。即ち、月齢盤４の月齢表示４５に対応する位置に月窓５６を設けている。従って、環状部５４及び月窓５６は早見盤１を組み立てた際に星座盤３の中環部３１５に重なる位置に設けられている。月齢数表示５５は目盛を月齢盤４のカーソル４１に合わせた際に、月窓５６が月齢盤４の月齢表示４５のうち当該月齢数表示５５の目盛が示す月齢の月に対応して位置する位置に目盛り、３６０°／２９．５３（朔望月）＝１２．１９°の式から１２．１９°毎に順次時計回りに月齢数１、２…２９と目盛る。具体的には、時刻目盛２１２の午前０時（夜の１２時）を真上にとっている場合、即ち月齢表示４５の新月をカーソル４１から中心点４３を中心に１８０°隔たった位置に表示している場合には、月齢数表示５５は月窓５６から中心点５３を中心に１８０°隔たった位置に月齢０の表示をし、そこから３６０°／２９．５３（朔望月）＝１２．１９°の式から１２．１９°毎に順次時計回りに月齢数１、２…２９と目盛る。環状部５４の内側は星座盤３の南天面３１の星表示部３１１に重なる部分であるので、透明としている。尚、早見盤１は月窓盤５を設けない構成、或いは月窓盤５に月窓５６を設けない構成としてもよい。
【００４７】
早見盤１は以下のように組み立てられている。星座盤３は、フレーム２の南天フレーム２１と北天フレーム２２間に北天面３２を北天フレーム２２に対面させ、北天フレーム２２及び中心点３９にピン等の軸支部材６２を挿通してフレーム２に回転自在に軸支している。月齢盤４と月窓盤５は南天フレーム２１の外側に南天フレーム２１、月齢盤４、月窓盤５の順に位置させて、南天フレーム２１、月齢盤４の中心点４３及び月窓盤５の中心点５３にピン等の軸支部材６２を挿通してフレーム２に回転自在に軸支している。勿論、北天フレーム２２内面に月齢盤４、月窓盤５、星座盤３の順に位置させて回転自在に軸支し、或いは南天フレーム２１の内側に月窓盤５、月齢盤４、の順に位置させて回転自在に軸支すると共に北天フレーム２２内面に星座盤３を回転自在に軸支する等適宜の組立が可能である。
【００４８】
尚、回転時に月齢盤４と月窓盤５、星座盤３と月齢盤４のずれを防止する手段を設けることとしてもよい。ずれ防止手段の一例としては、月窓盤５の月齢盤４と重なる面の外端部に片状の面テープを設け、該月窓盤５の片状の面テープに対応した月齢盤４の位置に環状に面テープを設けて構成することが可能である。月窓盤５のみを回転させる場合には、片状の面テープを設けた外端部をつまみ上げて月齢盤４に設けた環状の面テープからはがして回転させればよく、月齢盤４と月窓盤５とを同時に回転させたい場合には月齢盤４又は月窓盤５を回転させればよい。このような固定手段を設けることにより月齢盤４と月窓盤５とを別々に回転させることを担保しつつ、月齢盤４と月窓盤５とを同時に回転させたい場合にずれを生じることがなく、両方を把持しつつ回転させる必要がなく便利である。
【００４９】
次に早見盤１の使用方法について説明する。先ず、星や星座を観察する場合には、星座盤３を回転させて観察希望月日及び時刻に応じて星座盤３の南天面３１の月日目盛３１３の希望月日とフレーム２の南天フレーム２１の時刻目盛２１２の希望時刻を合わせる。この時に南天窓２１３には当該観察希望月日及び時刻の南を向いたときの天空における星や星座の位置が示され、早見盤３を裏返せば北天フレーム２２の北天窓２２３に北を向いたときの天空における星や星座の位置が示される。同様に星座盤３を回転させて観察希望月日及び時刻に応じて星座盤３の北天面３２の月日目盛３２３の希望月日とフレーム２の北天フレーム２２の時刻目盛２２２の希望時刻を合わせることにより、北天窓２２３には当該観察希望月日及び時刻の北を向いたときの天空における星や星座の位置が示され、早見盤３を裏返せば南天フレーム２１の南天窓２１３に南を向いたときの天空における星や星座の位置が示される。
【００５０】
次に月を観察する場合には、月齢盤４を回転させて月齢盤４に設けたカーソル４１を暦年目盛３３中の観察希望年の目盛に合わせる。星座盤３の月日目盛３１３から観察希望月日を選び、その位置にある月齢盤４の月齢目盛４２の目盛を読むことにより、当該年月日の月齢即ち月の形がわかる。
【００５１】
更に、観察希望月日及び時刻の天空に於ける月の位置、月の星や星座との位置関係を知るためには、先ず上述のようにして観察希望月日及び時刻の星及び星座を南天窓２１３に表示させる。尚、この手順は上述の観測年月日の月齢即ち月の形を求める手順の前に行ってもよい、次いで、月齢盤４のカーソル４１を星座盤３の月日目盛３１３から観察希望月日を選び、その位置に合わせる。次に、月窓盤５を回転させて、月齢盤４のカーソル４１に月齢数表示５５の目盛中の上記方法にて得た当該日の月齢目盛を合わせる。或いは月窓盤５の月窓５６に目的の月齢の月が見えるように月窓盤５を回転させても、同様の結果が得られる。即ち、カーソル４１に合わされた月齢数表示５５の目盛中の月齢が月窓５６に表示されるように構成されている。尚、先に月窓盤５を回転させて、月齢盤４のカーソル４１に月齢数表示５５の目盛中の上記方法にて得た当該日の月齢の目盛を合わせ、次いで月齢盤４のカーソル４１を星座盤３の月日目盛３１３から観察希望月日を選び、その位置に合わせることとしてもよい。尚、カーソル４１を設けていない場合であっても、午前０時（夜の１２時）に月齢表示４５の新月が真南（月日目盛３１３の午前０時を真上に目盛った場合の昼の１２時）に位置するので、月齢盤４を観測時間と午前０時の角度分を回転させれば同様の結果が得られる。
【００５２】
更に、月齢盤４と月窓盤５を同時に回転させて、月齢盤４のカーソル４１を南天フレーム２１の時刻目盛２１２中の観察希望時刻の目盛に合わせる。このようにすることで、観察希望年月日及び時刻における星、星座、天体が南天フレーム２１に表示されると共に、月が月齢に応じた形で、適切な天空上の位置に表示される。そして、月窓５６に表示された月と星座盤３の南天面３１の中心点３９を結んだ線と黄道３１２との交点が月の天空上の位置、即ち月と星、星座との対応位置である。
【００５３】
又、他の実施の形態として、上述のように早見盤１の両面を用い、一面には南の空を他面には北の空を表示させる形態ではなく、従来からよく用いられているように星座盤の一面に天の北極を中心点として星や星座を表示し、該星座盤の一面を覆う楕円形の星見窓を設けたフレームを用いて構成してもよい。この場合には星座盤３の上にフレーム２、月齢盤４及び月窓盤５の順で重ね、総ての中心点にピン等の軸支部材６１を挿通して総ての部材を回転自在に軸支して構成し、上記実施の形態と同様に、星座盤３は外周部に月日目盛及び暦年目盛３３を目盛り、フレーム２の外周部には時刻目盛を設け、月齢盤４及び月窓盤５は上記実施形態と全く同様に構成する。
【００５４】
又、月窓盤５を備えず、且つ月齢盤４に月齢表示４５を設けずに構成することも可能である。更に、星座盤３とフレーム２で構成し、星座盤３に暦年目盛３３を設け、フレーム２の外周部に星座盤３の月日目盛３１３に対応させた月齢目盛４２を設けることとしてもよい。これらの構成では、天空に於ける月の位置を知ることは出来ないが、希望観測日の月齢を容易に知ることが可能である。
【００５５】
又、暦年目盛３３又は／及び月齢目盛４２を設けずに構成することも可能である。この構成では、所望年月日の月齢を知ることができず、別途暦等で調べる必要があるが、天空に於ける月の位置を知ることが出来る。
【図面の簡単な説明】
【００５６】
【図１】本発明一実施例正面図
【図２】本発明一実施例正面部分図
【図３】本発明一実施例背面図
【図４】本発明一実施例分解斜視図
【図５】本発明一実施例フレームの展開図
【図６】本発明一実施例星座盤の南天面を示す図
【図７】本発明一実施例星座盤の南天面部分拡大図
【図８】本発明一実施例星座盤の北天面を示す図
【図９】本発明一実施例月齢盤正面図
【図１０】本発明一実施例月窓盤正面図
【符号の説明】
【００５７】
１      月と星の早見盤
２      フレーム
２１    南天フレーム
２１２  時刻目盛
２２    北天フレーム
２２２  時刻目盛
２８    結合部材
３      星座盤
３１    南天面
３１２  黄道
３１３  月日目盛
３１５  中環部
３２    北天面
３２３  月日目盛
３３    暦年目盛
４      月齢盤
４１    カーソル
４２    月齢目盛
４５    月齢表示
５      月窓盤
５５    月齢数表示
５６    月窓
６２    軸支部材
【図１】
0003723813.tif 000002
【図２】
0003723813.tif 000003
【図３】
0003723813.tif 000004
【図４】
0003723813.tif 000005
【図５】
0003723813.tif 000006
【図６】
0003723813.tif 000007
【図７】
0003723813.tif 000008
【図８】
0003723813.tif 000009
【図９】
0003723813.tif 000010
【図１０】
0003723813.tif 000011